(57)【要約】【課題】ペダルの錆や損傷を防止することができ、それにより、ペダルの外観を長期にわたり良好に維持することができるピアノのペダルカバーおよびその装着方法を提供する。【解決手段】ピアノのペダル２に着脱自在に装着されるピアノのペダルカバー１であって、プラスチックの真空成形により、ペダル２の外形に沿う形状に形成されている。また、ペダル本体３およびこのペダル本体３から外方に突出した突出部４を有するピアノのペダル２に装着されたピアノのペダルカバー４１であって、ペダル本体３および突出部４を覆うように、ペダル２に装着されたシュリンクフィルム４２で構成され、シュリンクフィルム４２の収縮の際に、シュリンクフィルム４２をペダル本体３と突出部４との移行部分４ａに押圧することにより、シュリンクフィルム４２が、移行部分４ａに密着した状態で装着されている。【選択図】  図１
2006309014.tif 000002
【特許請求の範囲】
【請求項１】
ピアノのペダルに着脱自在に装着されるピアノのペダルカバーであって、
プラスチックの真空成形により、前記ペダルの外形に沿う形状に形成されていることを特徴とするピアノのペダルカバー。
【請求項２】
前記ペダルカバーは、
前記ペダルを上方から覆うカバー本体部と、
このカバー本体部の周縁部に設けられ、前記ペダルの底面の下側に回り込んだ状態で、当該ペダルの周縁部に係止される係止部と、
を有していることを特徴とする請求項１に記載のピアノのペダルカバー。
【請求項３】
前記ペダルカバーは、
前記ペダルを上方から覆う上カバー部と、
この上カバー部に対し折り畳み自在に形成され、折り畳まれた状態で、前記ペダルを下方から覆う下カバー部と、
前記上カバー部および前記下カバー部の一方に設けられた係合部と、
前記上カバー部および前記下カバー部の他方に設けられ、前記上カバー部および前記下カバー部が前記ペダルを上下から覆った状態で、前記係合部に係合することにより、前記上カバー部および前記下カバー部を互いに係止する係止部と、
を有していることを特徴とする請求項１に記載のピアノのペダルカバー。
【請求項４】
ペダル本体およびこのペダル本体から外方に突出した突出部を有するピアノのペダルに装着されたピアノのペダルカバーであって、
前記ペダル本体および前記突出部を覆うように、前記ペダルに装着されたシュリンクフィルムで構成され、
当該シュリンクフィルムの収縮の際に、当該シュリンクフィルムを前記ペダル本体と前記突出部との移行部分に押圧することにより、当該シュリンクフィルムが、前記移行部分に密着した状態で装着されていることを特徴とするピアノのペダルカバー。
【請求項５】
ペダル本体およびこのペダル本体から外方に突出した突出部を有するピアノのペダルにペダルカバーを装着するペダルカバーの装着方法であって、
前記ペダル本体および前記突出部をシュリンクフィルムで覆う被覆工程と、
前記シュリンクフィルムを前記ペダル本体と前記突出部との移行部分に押圧しながら、当該シュリンクフィルムを収縮させる収縮工程と、
を備えていることを特徴とするペダルカバーの装着方法。
【発明の詳細な説明】
【技術分野】
【０００１】
本発明は、アコースティックピアノや電子ピアノなどのペダルに装着されるピアノのペダルカバーおよびその装着方法に関する。
【背景技術】
【０００２】
従来、ピアノのペダルとして、例えば特許文献１に記載されたものが知られている。このペダルは、前後方向に延びる３つのペダルで構成されている。各ペダルは、ペダル箱に回動自在に支持され、後半部がペダル箱に収容されるとともに、前半部がペダル箱から前方に突出している。
【０００３】
このようなペダルは一般に、真鍮や鉄などの金属から成り、表面が錆びるのを防止するために、アクリル焼き付け塗装などにより、コーティングされる。しかし、その塗装処理が不十分な場合などには、被膜にピンホールが生じたり、ピアノの長年の使用によって、被膜が損傷したりすることにより、ペダルの金属面が外気に部分的に触れることで、ペダルがまだら状に錆びるおそれがある。また、ピアノの出荷時など、ピアノを搬送する際に、ペダルが比較的硬い物に誤って当たった場合には、ペダルが傷つくこともある。以上のように、ペダルに錆や傷が生じた場合には、ペダルの外観、ひいてはピアノの商品性が著しく損なわれてしまう。
【０００４】
本発明は、以上のような課題を解決するためになされたものであり、ペダルの錆や損傷を防止することができ、それにより、ペダルの外観を長期にわたり良好に維持することができるピアノのペダルカバーおよびその装着方法を提供することを目的とする。
【０００５】
【特許文献１】特開平１１−３３８４６２号公報
【発明の開示】
【課題を解決するための手段】
【０００６】
上記の目的を達成するために、請求項１に係る発明は、ピアノのペダルに着脱自在に装着されるピアノのペダルカバーであって、プラスチックの真空成形により、ペダルの外形に沿う形状に形成されていることを特徴とする。
【０００７】
この構成によれば、ペダルカバーが、プラスチックの真空成形により、ペダルの外形に沿う形状に形成されているので、そのペダルカバーをペダルにぴったりと装着することができ、それにより、ペダルが外気に触れないようになることで、錆の発生を防止できるとともに、ピアノの搬送の際に、ペダルを誤ってぶつけた場合でも、ペダルの損傷を防止することができる。このようなペダルの錆や損傷の防止によって、ペダルの外観を長期にわたり良好に維持することができる。また、ペダルカバーは、ペダルに着脱自在であるので、ピアノを使用しないとき、例えばピアノの保管時や搬送時にペダルカバーをペダルに装着したり、ピアノの演奏時にペダルカバーをペダルから取り外すなど、必要に応じて、ペダルカバーをペダルに容易に着脱することができる。なお、演奏者の好みに応じて、ペダルカバーを常時、ペダルに装着することも可能である。
【０００８】
請求項２に係る発明は、請求項１に記載のピアノのペダルカバーにおいて、ペダルカバーは、ペダルを上方から覆うカバー本体部と、このカバー本体部の周縁部に設けられ、ペダルの底面の下側に回り込んだ状態で、ペダルの周縁部に係止される係止部と、を有していることを特徴とする。
【０００９】
この構成によれば、カバー本体部の周縁部に係止部が設けられ、この係止部が、ペダルの底面の下側に回り込んだ状態で、ペダルの周縁部に係止されるので、ペダルカバーを、ペダルから外れにくい状態で、しっかりと装着することができる。
【００１０】
請求項３に係る発明は、請求項１に記載のピアノのペダルカバーにおいて、ペダルカバーは、ペダルを上方から覆う上カバー部と、この上カバー部に対し折り畳み自在に形成され、折り畳まれた状態で、ペダルを下方から覆う下カバー部と、上カバー部および下カバー部の一方に設けられた係合部と、上カバー部および下カバー部の他方に設けられ、上カバー部および下カバー部がペダルを上下から覆った状態で、係合部に係合することにより、上カバー部および下カバー部を互いに係止する係止部と、を有していることを特徴とする。
【００１１】
この構成によれば、下カバー部が、上カバー部に対し折り畳み自在に形成されるとともに、両カバー部の一方に係合部が設けられ、他方にその係合部に係合する係止部が設けられているので、下カバー部を折り畳んだ状態で、上下の両カバー部でペダルを上下から覆うとともに、係止部を係合部に係合させるだけで、ペダルカバーをペダルにしっかりと装着することができる。また、係合部と係止部との係合を解除するだけで、ペダルカバーをペダルから容易に取り外すことができる。さらに、上カバー部と下カバー部が一体に構成されているので、両カバー部を別体に構成する場合に比べて、ペダルカバーの取扱いや保管を容易に行うことができる。
【００１２】
請求項４に係る発明は、ペダル本体およびこのペダル本体から外方に突出した突出部を有するピアノのペダルに装着されたピアノのペダルカバーであって、ペダル本体および突出部を覆うように、ペダルに装着されたシュリンクフィルムで構成され、シュリンクフィルムの収縮の際に、シュリンクフィルムをペダル本体と突出部との移行部分に押圧することにより、シュリンクフィルムが、移行部分に密着した状態で装着されていることを特徴とする。
【００１３】
この構成によれば、ペダルカバーが、ペダル本体、およびこのペダル本体から外方に突出した突出部を覆うように装着されたシュリンクフィルムで構成されている。また、シュリンクフィルムの収縮の際に、シュリンクフィルムをペダル本体と突出部との移行部分に押圧することにより、シュリンクフィルムは、上記移行部分に密着した状態で、ペダルに装着されている。このように、シュリンクフィルムと移行部分との間に隙間が生じないので、その隙間に外気が侵入することを完全に防止でき、それにより、錆の防止効果を格段に高めることができる。また、シュリンクフィルムが収縮することで構成されるペダルカバーは、移行部分を含めて、ペダルにぴったりと装着されるので、演奏者は、ペダルカバーをペダルに装着したまま、ペダル操作をまったく違和感無く行うことができる。したがって、ペダルカバーを常時、ペダルに装着しておくことも可能であり、それにより、上述したペダルの錆の防止に加えて、ペダルの損傷も防止することができ、ペダルの外観を長期にわたり良好に維持することができる。
【００１４】
請求項５に係る発明は、ペダル本体およびこのペダル本体から外方に突出した突出部を有するピアノのペダルにペダルカバーを装着するペダルカバーの装着方法であって、ペダル本体および突出部をシュリンクフィルムで覆う被覆工程と、シュリンクフィルムをペダル本体と突出部との移行部分に押圧しながら、シュリンクフィルムを収縮させる収縮工程と、を備えていることを特徴とする。
【００１５】
この構成によれば、ペダル本体および突出部をシュリンクフィルムで覆い、このシュリンクフィルムの収縮の際に、シュリンクフィルムをペダル本体と突出部との移行部分に押圧しながら、収縮させる。これにより、収縮したシュリンクフィルムであるペダルカバーは、上記移行部分に密着した状態で、ペダルに装着され、したがって、上記ペダルカバーの装着方法によれば、前述した請求項４と同様の作用、効果を得ることができる。
【発明を実施するための最良の形態】
【００１６】
以下、図面を参照しながら、本発明の好ましい実施形態を詳細に説明する。図１および図２は、本発明の一実施形態によるペダルカバー１を、ピアノのペダル２に装着した状態を示しており、前者および後者のペダル２はそれぞれ、アップライトピアノ用およびグランドピアノ用のものである。これらのピアノには通常、３つのペダル２が、左右方向に並んだ状態で設けられ、各ペダル２は、ピアノ本体やペダル箱（いずれも図示せず）に回動自在に支持され、後半部がピアノ本体やペダル箱に収容される一方、前半部が外部に露出した状態で、前方に突出している。なお、以下の説明では、両図のペダル２、２を区別する場合、アップライトピアノ用およびグランドピアノ用のペダルにそれぞれ、符号「２Ａ」および「２Ｂ」を付して説明するものとし、また、両図のペダルカバー１、１を区別する場合、両ペダル２Ａ、２Ｂにそれぞれ装着されるペダルカバーにそれぞれ、符号「１Ａ」および「１Ｂ」を付して説明するものとする。
【００１７】
ペダル２は、真鍮や鉄などの金属から成り、所定形状に形成されている。図１に示すアップライトピアノ用のペダル２Ａは、並設される３つのペダルのうち、右端に配置されるラウドペダルであり、前後方向に延びるペダル本体３と、このペダル本体３の前後方向の中央部よりも若干前側の位置に設けられ、上方に突出した突出部４とを有している。なお、この突出部４は、その直ぐ後ろ側に設けられるピアノ本体の前土台（図示せず）が、ピアノの演奏時などに演奏者の足がぶつかることで傷つくのを防止するためのものである。
【００１８】
ペダル本体３の前半部３ａは、前方に向かって右方に若干湾曲し、横幅が前方に向かって緩やかに大きくなるとともに、前端部が円弧状に形成されている。また、ペダル本体３の後半部３ｂは、その長さ方向と直交する断面の外形が横長矩形状に形成されており、後端部には、ペダル２Ａを回動自在に支持するためのペダルシャフト５が、孔６に挿通された状態で、左右方向に延びるように固定される。一方、突出部４は、ある程度の厚さを有し、正面形状がほぼ縦長矩形状に形成されている。
【００１９】
なお、ペダル本体３の後半部３ｂには、長さ方向の中央部に、上下方向に貫通した孔７が形成されている。この孔７には、ペダル２Ａの動作を、ペダル天秤を介してダンパー（いずれも図示せず）などに伝えるために、ペダル２Ａとペダル天秤とを連結するペダル天秤ボルト８が固定される。
【００２０】
一方、図２に示すグランドピアノ用のペダル２Ｂは、並設される３つのペダルのうち、左端に配置されるソフトペダルである。このペダル２Ｂは、前後方向に延び、前端部が前方に向かって左方に若干湾曲するように形成されている。また、ペダル２Ｂの前後方向の中央部よりも若干後ろ側の位置には、ペダル２Ｂを回動自在に支持するためのペダルシャフト１１が、孔１２に挿通された状態で、左右方向に延びるように固定される。なお、ペダル２Ｂの後端部には、上方に若干突出した円筒状の凹部１３が設けられ、この凹部１３に、ペダル２Ｂの動作を鍵盤やアクション（いずれも図示せず）に伝えるためのペダル突揚棒１４が固定される。
【００２１】
次に、上述した各ペダル２に装着されるペダルカバー１について説明する。図１および図２に示すように、ペダルカバー１は、ペダル２の前半部、すなわち、ペダル２のピアノ本体やペダル箱から外部に露出した部分を覆うように装着される。なお、ペダルカバー１が装着されるペダル２Ａ、２Ｂの前半部の最も大きな相違点は、突出部４の有無であるので、以下の説明では、突出部４を有するペダル２Ａに装着されるペダルカバー１Ａを中心に説明するものとする。
【００２２】
ペダルカバー１は、比較的薄い軟質のプラスチックから成り、後述するように、シート状のプラスチックを真空成形することによって作製される。このペダルカバー１の材料として、例えば、ポリエチレン、塩化ビニル、ポリスチレン、ポリプロピレン、ＡＢＳ樹脂、およびＡＳ樹脂などのプラスチックを採用することができる。
【００２３】
図３に示すように、ペダルカバー１は、ペダル２の底面の大部分を除き、突出部４を含むペダル２の前半部（以下「ペダル前半部」という）を覆うとともに、ペダル前半部の外形に沿う形状に形成されている。具体的には、このペダルカバー１は、ペダル前半部の外形とほぼ同じ形状およびサイズのカバー本体部１ａと、このカバー本体部１ａの下端周縁部に沿って連続して設けられ、ペダル２の周縁部に係止される係止部１ｂとを有している。図３（ｃ）、（ｄ）に示すように、係止部１ｂは、カバー本体部１ａの下端から連なるとともに、ペダル２の底面の下側に回り込み、断面形状がほぼコ字状に形成されている。なお、図２のペダル２Ｂに装着されたペダルカバー１Ｂは、上述したペダルカバー１Ａに対し、突出部４を覆う部分を有していない点のみが異なり、それ以外は、ペダルカバー１Ａと同様に構成されている。
【００２４】
ここで、図４を参照して、真空成形によるペダルカバー１の製造方法について説明する。まず、同図（ａ）に示すように、あらかじめ、ペダルカバー１の原材料であるシート状のプラスチック２１と、製造すべきペダルカバー１に応じた所定の型２２とを準備する。なお、図４では、プラスチック２１については、便宜上、縦断面の形状のみを図示するものとする。
【００２５】
プラスチック２１は、熱可塑性で、前記例示したものなどである。一方、型２２は、前述したペダル前半部とほぼ同じ形状およびサイズを有している。また、この型２２には、側面の下端周縁部に沿って、外方に開口した凹部２３が形成されるとともに、上下方向に貫通した複数の吸引孔２４（図４では１つのみ図示）が設けられている。
【００２６】
上記のプラスチック２１および型２２を、それぞれ上下に位置するように、真空成形機（図示せず）にセットする。なお、詳細は省略するが、真空成形機は、プラスチック２１を加熱するための加熱装置、プラスチック２１と型２２の間の空気を吸引する真空ポンプ、成形後のプラスチック２１を冷却するための冷却装置、および成形後のプラスチック２１から不要部分を切除するための加工装置（いずれも図示せず）などを備えている。
【００２７】
上記真空成形機へのプラスチック２１および型２２のセット後、まず、加熱装置により、プラスチック２１を加熱し、軟化させる。次いで、プラスチック２１および型２２の一方を他方側に移動させることにより、図４（ｂ）に示すように、プラスチック２１で型２２を上方から覆うとともに、プラスチック２１の周囲を密封する。
【００２８】
次いで、真空ポンプにより、型２２の吸引孔２４を介して、プラスチック２１と型２２の間の空気を吸引する。これにより、図４（ｃ）に示すように、プラスチック２１は、型２２の外面に密着し、その型２２の外形に沿うように成形される。この場合、型２２の下端部の凹部２３にも、プラスチック２１が入り込み、その部分が、ペダルカバー１の前記係止部１ｂとなる。そして、冷却装置により、成形後のプラスチック２１を冷却し、その後、加工装置により、プラスチック２１の周囲を上方から切断し、不要部分を切除する。その後、成形後のプラスチック２１から型２２を抜くことにより、図４（ｄ）に示すように、ペダルカバー１が完成する。なお、図２のペダルカバー１Ｂを製造する場合には、ペダル２Ｂに対応した型を用いる。
【００２９】
以上詳述したように、本実施形態のペダルカバー１によれば、このペダルカバー１が、プラスチック２１の真空成形によって形成され、ペダル２の外形に沿う形状に形成されるので、ペダル前半部を上方から覆うように、ペダルカバー１をペダル２にぴったりと装着することができる。それにより、ペダル２のペダル前半部、すなわち演奏者側から見える部分が、外気に触れないようになることで、錆の発生を防止できるとともに、ピアノの搬送の際に、ペダル２を誤ってぶつけた場合でも、ペダル２の損傷を防止することができる。これにより、ペダル２の外観を長期にわたり良好に維持することができる。
【００３０】
また、ペダルカバー１の下端周縁部には、係止部１ｂが設けられているので、ペダルカバー１を、ペダル２から外れにくい状態で、しっかりと装着することができる。さらに、ペダルカバー１は、ペダル２に着脱自在であるので、ピアノを使用しないとき、例えばピアノの保管時や搬送時にペダルカバー１をペダル２に装着したり、ピアノの演奏時にペダルカバー１をペダル２から取り外すなど、必要に応じて、ペダルカバー１をペダル２に容易に着脱することができる。さらにまた、演奏者の好みに応じて、ペダルカバー１を常時、ペダル２に装着することも可能である。
【００３１】
次に、図５および図６を参照して、本発明の第２実施形態について説明する。このペダルカバー３１は、上述した実施形態と同様に、シート状のプラスチックを真空成形することによって作製される。ペダルカバー３１は、比較的薄い硬質のプラスチックから成り、ペダル前半部を上方および下方からそれぞれ覆う上カバー部３２および下カバー部３３で構成されている。
【００３２】
上カバー部３２は、ペダル前半部の外形とほぼ同じ形状およびサイズのカバー本体部３２ａを有している。また、上カバー部３２には、カバー本体部３２ａの前半部の側方に、下方に開口し且つ平面形状がＵ字状の前凹部３２ｂ（係合部、係止部）が形成され、カバー本体部３２ａの後端部の両側に、下方に開口し且つ平面形状が楕円状の一対の後ろ凹部３２ｃ、３２ｃ（係合部、係止部）が形成されている。なお、カバー本体部３２ａの後端部の下半部には、ペダルカバー３１が装着されたペダル２のペダル本体３を通すための逃げ孔３２ｄが形成されている。
【００３３】
一方、下カバー部３３は、上カバー部３２に対し、折曲げ部３４を介して折り畳み自在に形成されるとともに、上カバー部３２の前凹部３２ｂに嵌合可能で且つ平面形状がＵ字状の前凸部３３ａ（係止部、係合部）と、上カバー部３２の後ろ凹部３２ｃ、３２ｃに嵌合可能で且つ平面形状が楕円状の一対の後ろ凸部３３ｂ、３３ｂ（係止部、係合部）とを有している。上記折曲げ部３４は、例えば互いの間隔が比較的大きなミシン目などによって、直線状に形成されている。この折曲げ部３４を介して、ペダルカバー３１が折り畳まれることにより、下カバー部３３が、上カバー部３２の底部にぴったりと重なるようになっている。そして、その場合には、下カバー部３３の前凸部３３ａが、上カバー部３２の前凹部３２ｂに、下カバー部３３の後ろ凸部３３ｂ、３３ｂが、上カバー部３２の後ろ凹部３２ｃ、３２ｃに嵌合する。
【００３４】
なお、このペダルカバー３１の製造方法の詳細な説明は省略するが、図６に示す展開した状態のペダルカバー３１を一回の真空成形によって製造するための所定形状の型を準備し、前述したペダルカバー１と同様の手順によって製造する。
【００３５】
上記構成のペダルカバー３１をペダル２に装着する場合には、折曲げ部３４を介してペダルカバー３１を折り畳み、上カバー部３２および下カバー部３３で、ペダル前半部を上下から挟むように、その全体を覆う。またこの場合、下カバー部３３の前凸部３３ａを上カバー部３２の前凹部３２ｂに嵌合させるとともに、下カバー部３３の両後ろ凸部３３ｂ、３３ｂを上カバー部３２の両後ろ凹部３２ｃ、３２ｃにそれぞれ嵌合させる。このように、ペダルカバー３１を折り畳み、下カバー部３３の前凸部３３ａおよび後ろ凸部３３ｂ、３３ｂを、上カバー部３２の前凹部３２ｂおよび後ろ凹部３２ｃ、３２ｃにそれぞれ嵌合させるだけで、ペダルカバー３１をペダル２にしっかりと装着することができる。また、上記凸部３３ａ、３３ｂと凹部３２ｂ、３２ｃの嵌合を解除するだけで、ペダルカバー３１をペダル２から容易に取り外すこともできる。
【００３６】
以上詳述したように、本実施形態のペダルカバー３１によれば、前述したペダル１と同様の効果、すなわち、ペダル２の錆や損傷を防止でき、ペダル２の外観を長期にわたり良好に維持することができる。また、ペダルカバー３１は、硬質のプラスチックから成るので、ペダル２の損傷の防止効果を高めることができる。さらに、ペダルカバー３１は、上カバー部３２および下カバー部３３が一体に構成されているので、両カバー部３２、３３を別体に構成する場合に比べて、ペダルカバー３１の取扱いや保管を容易に行うことができる。
【００３７】
なお、本実施形態では、上カバー部３２に前凹部３２ｂおよび後ろ凹部３２ｃ、３２ｃを設ける一方、下カバー部３３に前凸部３３ａおよび後ろ凸部３３ｂ、３３ｂを設けたが、これらの凹凸関係を全て逆にしたり、部分的に逆にしたりすることも可能である。
【００３８】
次に、図７〜図９を参照して、本発明の第３実施形態について説明する。なお、これらの図では、後述するペダルカバー４１およびシュリンクフィルム４２については、便宜上、縦断面の形状のみを図示するものとする。図７に示すように、本実施形態のペダルカバー４１は、加熱されることによって収縮するシュリンクフィルムから成り、ペダル２のペダル前半部の外周面全体に密着した状態で、これを覆うように構成されている。このシュリンクフィルムとして、例えば塩化ビニル、ポリプロピレン、およびポリエチレンなど、種々のプラスチックフィルムを採用することができる。
【００３９】
図８は、ペダル２へのペダルカバー４１の装着手順を示している。同図（ａ）に示すように、まず、シュリンクフィルム４２で、ペダル２のペダル前半部の全体を覆う（被覆工程）。なおこの場合、シート状のシュリンクフィルムをペダル前半部に巻き付ける他、袋状のシュリンクフィルムをペダル前半部に被せるようにしても良い。
【００４０】
次いで、図８（ｂ）に示すように、ペダル２のペダル本体３から突出部４に連なる曲面４ａ（移行部分）と同じ曲面４３ａを有する治具４３を、ペダル２の曲面４ａに対向するように、シュリンクフィルム４２の外側に配置する。この治具４３には、ゴムやばねなど（いずれも図示せず）が取り付けられており、それにより、治具４３が、同図（ｂ）の白抜き矢印の方向に付勢される。そして、この状態のまま、ペダル２を加熱することにより、シュリンクフィルム４２を収縮させる。すなわち、治具４３によって、シュリンクフィルム４２を曲面４ａに向かって押圧しながら、シュリンクフィルム４２を収縮させる（収縮工程）。これにより、同図（ｃ）に示すように、シュリンクフィルム４２は、上記曲面４ａに密着する。
【００４１】
なお、シュリンクフィルム４２を押圧せずに、単に収縮させた場合には、図９に示すように、ペダル本体３、突出部４およびシュリンクフィルム４２で囲まれた空間Ｓが残存する。その場合、空間Ｓ内の空気や、空間Ｓに侵入する外気などによって、ペダル２が錆びるおそれがある。
【００４２】
したがって、上述したように、シュリンクフィルム４２の収縮の際に、シュリンクフィルム４２をペダル２の上記曲面４ａに押圧することにより、シュリンクフィルム４２は、曲面４ａを含めて、ペダル２のペダル前半部の外周面全体に密着する。
【００４３】
以上詳述したように、本実施形態のペダルカバー４１によれば、収縮したシュリンクフィルムであるペダルカバー４１と、ペダル２のペダル前半部との間に隙間が生じないので、その隙間に外気が侵入することを完全に防止でき、それにより、錆の防止効果を格段に高めることができる。また、ペダルカバー４１は、ペダル２のペダル前半部にぴったりと装着されるので、演奏者は、ペダルカバー４１をペダル２に装着したまま、ペダル操作をまったく違和感無く行うことができる。したがって、ペダルカバー４１を常時、ペダル２に装着しておくことも可能であり、それにより、ペダル２の錆の防止に加えて、ペダル２の損傷も防止することができ、ペダル２の外観を長期にわたり良好に維持することができる。
【００４４】
なお、上述した各実施形態では、アップライトピアノおよびグランドピアノのペダル２に装着されるペダルカバー１、３１、４１について説明したが、本発明はこれに限定されるものではなく、電子ピアノのペダルに装着されるペダルカバーにも適用することができる。また、実施形態で示したペダルカバー１、３１、４１の細部の構成などは、あくまで例示であり、本発明の趣旨の範囲内で適宜、変更することができる。
【図面の簡単な説明】
【００４５】
【図１】本発明の一実施形態によるペダルカバーをアップライトピアノのペダルに装着した状態を示す斜視図である。
【図２】本発明の一実施形態によるペダルカバーをグランドピアノのペダルに装着した状態を示す斜視図である。
【図３】（ａ）図１のペダルの部分平面図、（ｂ）図１のペダルの部分側面図、（ｃ）ｃ−ｃ線に沿う拡大断面図、（ｄ）ペダル先端部の拡大縦断面図である。
【図４】図１のペダルカバーの成形工程を説明するための図である。
【図５】本発明の第２実施形態によるペダルカバーを示す斜視図であり、ペダルに装着した状態を示す。
【図６】（ａ）図５のペダルカバーを展開した斜視図、（ｂ）同ペダルカバーの平面図、（ｃ）同ペダルカバーの正面図である。
【図７】本発明の第３実施形態によるペダルカバーを示す側面図であり、ペダルに装着した状態を示す。
【図８】図７のペダルカバーをペダルに装着する際の手順を説明する図である。
【図９】ペダルを覆うシュリンクフィルムを単に収縮させたときの状態を説明するための図である。
【符号の説明】
【００４６】
１    ペダルカバー
１ａ  カバー本体部
１ｂ  係止部
２    ペダル
３    ペダル本体
４    突出部
４ａ  曲面（移行部分）
２１    プラスチック
２２    型
３１    第２実施形態のペダルカバー
３２    上カバー部
３２ａ  カバー本体部
３２ｂ  前凹部（係合部、係止部）
３２ｃ  後ろ凹部（係合部、係止部）
３３    下カバー部
３３ａ  前凸部（係止部、係合部）
３３ｂ  後ろ凸部（係止部、係合部）
４１    第３実施形態のペダルカバー
４２    シュリンクフィルム
【図１】
2006309014.tif 000003
【図２】
2006309014.tif 000004
【図３】
2006309014.tif 000005
【図４】
2006309014.tif 000006
【図５】
2006309014.tif 000007
【図６】
2006309014.tif 000008
【図７】
2006309014.tif 000009
【図８】
2006309014.tif 000010
【図９】
2006309014.tif 000011